(57)【要約】【課題】専門業者が行う作業を最小限に抑え、極めて簡単に設置できる床暖房システムを提供する。【解決手段】床暖房システム１０は、それぞれ発熱抵抗体を備えた複数のヒータパネル２０を、発熱抵抗体が互いに電気的に接続されるように予め結線したパネルユニット１１と、パネルユニット１１上に敷設された床仕上げ材１２と、パネルユニット１１への通電を制御するコントローラ１３とを有する。パネルユニット１１とコントローラ２０とは、コネクタによって電気的に接続される。コントローラ２０には、コントローラ２０およびパネルユニット１１に電力を供給するために電源コンセント４と接続される電源プラグ１６が設けられている。【選択図】図１
2006292311.tif 000002
【特許請求の範囲】
【請求項１】
それぞれ発熱抵抗体を備えた複数のヒータパネルを含み、前記発熱抵抗体が互いに電気的に接続されるように前記ヒータパネル同士が予め結線されたパネルユニットと、
前記パネルユニット上に敷設された床仕上げ材と、
前記パネルユニットへの通電を制御するコントローラと、を有し、
前記パネルユニットと前記コントローラとはコネクタによって電気的に接続され、
前記コントローラには、前記コントローラおよび前記パネルユニットに電力を供給するために電源コンセントと接続される電源プラグが設けられている床暖房システム。
【請求項２】
前記電源プラグは、電源ケーブルを介して前記コントローラに接続されている、請求項１に記載の床暖房システム。
【請求項３】
前記電源ケーブルはフラットケーブルである、請求項２に記載の床暖房システム。
【請求項４】
前記コントローラは、前記床暖房システムが設置される室内の壁に取り付けられ、
前記壁に前記コントローラを固定する固定手段を有する、請求項１から３のいずれか1項に記載の床暖房システム。
【請求項５】
前記電源プラグは、前記コントローラの背面側に固定されている、請求項１に記載の床暖房システム。
【請求項６】
前記コントローラは、前記床暖房システムが設置される室内の壁に取り付けられ、
前記電源プラグおよび前記電源コンセントは、前記壁への前記コントローラの固定手段を兼ねている、請求項５に記載の床暖房システム。
【請求項７】
前記パネルユニットからは、前記ヒータパネル用の電源線およびアース線を含む口出し線が引き出されており、前記コネクタは、前記口出し線の先端部および前記コントローラに設けられている、請求項１から６のいずれか１項に記載の床暖房システム。
【請求項８】
前記コントローラは、前記パネルユニットと電気的に接続された制御回路と、該制御回路との間での信号の伝送をワイヤレスで行う操作部とを有する、請求項１から７のいずれか１項に記載の床暖房システム。
【発明の詳細な説明】
【技術分野】
【０００１】
本発明は、電気式の床暖房システムに関し、特に、床材の下に敷設されるヒータパネルと、ヒータパネルの制御のために室内の壁面に設置されるコントローラとの接続に関する。
【背景技術】
【０００２】
従来、床暖房システムとしては、電熱ヒータを内蔵した複数のヒータパネルを床下地の上に敷設し、その上に床材を敷設したものが知られている。ヒータパネルは、１辺の長さが数十ｃｍ〜２ｍ程度の矩形に形成されており、部屋の面積に応じて適宜結線して使用される。一方、温度制御用のコントローラは、床暖房システムが設置される室内の壁面に固定され、結線されたヒータパネルにさらに結線される。
【０００３】
ヒータパネル同士を接続する配線、およびヒータパネルとコントローラとを接続する配線は、電源線、アース線、およびセンサー線を含んでいる。そのため、これらの結線作業は専門の設備工事業者（国家資格（電気工事士）保有者）でしか行うことができない。したがって、従来の床暖房システムを施工するには、まず、ヒータパネルの敷設およびヒータパネル同士の結線を設備工事業者が行い、その後、敷設したヒータパネル上への床材の敷設を例えば工務店が行い、最後に、コントローラの設置作業およびヒータパネルとコントローラとの結線作業を再び設備工事業者が行うという手順が一般的であった。床材の敷設作業は、専門の業者によらずにユーザ自身でも行い得るものの、電源線の取り扱いを含む作業は専門の業者に依頼するしかなく、これらの作業の中でもヒータパネル同士の結線作業は煩雑な作業であった。
【０００４】
そこで、床暖房システムの施工に際しての工期短縮および工費削減のために、本出願人らは、特許文献１に開示されたような、ヒータパネルの軽量化を達成するとともに、ヒータパネル同士を予め結線してユニット化したヒータパネルを提案している。
【特許文献１】特許第３５９２６９１号公報
【発明の開示】
【発明が解決しようとする課題】
【０００５】
上述したように、ヒータパネル同士を予め結線してユニット化することで、ヒータパネルの施工性は大幅に改善される。しかしながら、特許文献１に開示されたヒータパネルにおいても、コントローラの設置作業およびヒータパネルとコントローラとの結線作業は、建物内に配線された電源線に対する工事が必要であるため、専門の設備工事業者によって行う必要がある。
【０００６】
これらの作業は、ヒータパネル同士を結線する作業と比べると簡単ではあるが、汎用性がないものであった。つまり、電源線やアース線などが接続されるコントローラの端子は、その位置や形態が、製造メーカ、さらには品番ごとに異なっていることが多い。したがって、たとえ専門の設備工事業者であっても、コントローラへの結線作業は複雑で習熟を必要とする作業であった。こういった理由で、床暖房システムは、静かでクリーンな暖房であり、しかも放射によって室内全体を均一に暖めることができるにも拘わらず、特にリフォームにおいてはあまり普及していないのが現状である。
【０００７】
本発明は、上述した従来の問題点に鑑みてなされたものであり、専門業者が行う作業を最小限に抑え、極めて簡単に設置できる床暖房システムを提供することを目的とする。
【課題を解決するための手段】
【０００８】
上記目的を達成するため本発明の床暖房システムは、それぞれ発熱抵抗体を備えた複数のヒータパネルを含み、発熱抵抗体が互いに電気的に接続されるように前記ヒータパネル同士が予め結線されたパネルユニットと、パネルユニット上に敷設された床仕上げ材と、パネルユニットへの通電を制御するコントローラと、を有する。そして、パネルユニットとコントローラとはコネクタによって電気的に接続され、コントローラには、コントローラおよびパネルユニットに電力を供給するために電源コンセントと接続される電源プラグが設けられている。
【０００９】
上記のとおり構成された本発明の床暖房システムでは、ヒータパネル同士は予め結線されているので、ヒータパネルの設置時の結線作業は不要であり、また、パネルユニットとコントローラとの接続は、コネクタによる接続であるので誰でも行い得る。さらに、コントローラへの電源投入作業は、電源プラグと電源コンセントとを接続するだけでよいので、この作業も誰でも行い得る。従って、電源線の取り扱いに関しては、電源コンセントが予め設定されていれば専門の業者による作業は必要なくなり、また、電源コンセントが設置されていなかったとしても、専門の業者による作業は、床暖房システムに関する専門知識を必要としない汎用的な作業で済む。
【００１０】
電源プラグは、電源ケーブルを介してコントローラに接続されていてもよいし、コントローラの背面側に固定されていてもよい。また、コントローラは、好ましくは、床暖房システムが設置される室内の壁に取り付けられる。この場合、壁にコントローラを固定する固定手段を有することもできる。特に、電源プラグがコントローラの背面側に固定されている場合は、電源プラグと電源コンセントとが、この固定手段を兼用していてもよい。
【発明の効果】
【００１１】
以上述べたように本発明の床暖房システムによれば、専門の業者による作業を最小限に抑え、しかも、その作業は汎用的な作業でよいので、結果的に、床暖房システムの施工費用および施工期間を大幅に削減することができる。
【発明を実施するための最良の形態】
【００１２】
次に、本発明の実施形態について図面を参照して説明する。
【００１３】
図１は、本発明の一実施形態による床暖房システムの概略斜視図であり、構成を分かりやすくするために一部を破断して示している。
【００１４】
図１に示すように、本実施形態の床暖房システム１０は、床下地１上に敷設されたパネルユニット１１と、パネルユニット１１上に敷設された床仕上げ材１２と、パネルユニット１１への通電を制御するコントローラ３０とを有する。
【００１５】
床下地１は、パネルユニット１１が載置される板状の部分であり、例えば、合板、パーチクルボード、コンクリートスラブなどが挙げられる。また、新築ではなくリフォーム時に床暖房システム１０を設置する場合は、既存の床自身を床下地１として利用することもできる。
【００１６】
パネルユニット１１は、互いに隣接して並べられた複数のヒータパネル２０を有する。各ヒータパネル２０はそれぞれ発熱抵抗体（不図示）を内蔵し、各発熱抵抗体が並列接続されるように、ヒータパネル２０同士は予め結線されている。パネルユニット１１を構成する各ヒータパネル２０のうちの一つには、温度センサー（不図示）が内蔵されている。また、各ヒータパネル２０のうちの一つからは、パネルユニット１１とコントローラ３０とを電気的に接続するための口出し線１４が引き出されている。温度センサーが内蔵されたヒータパネル２０と口出し線１４が引き出されたヒータパネル２０とは、同じであってもよいし異なっていてもよい。
【００１７】
口出し線１４は、発熱抵抗体に電力を供給するための電源線、アース線、および温度センサーへの信号の入出力のためのセンサー線を含む。これらの各線は、個別に引き出されていてもよいし、図１に示したように、まとめて１本のケーブルとして引き出されていてもよい。口出し線１４を１本のケーブルとして引き出す場合は、フラットケーブルとすることが外観上好ましい。
【００１８】
ここで、ヒータパネル２０について図２Ａ〜図２Ｂを参照して説明する。
【００１９】
ヒータパネル２０は、その外周部を取り囲むように構成された枠材２２と、枠材２２の内側の領域に配された断熱材２１と、枠材２２および断熱材２１の上面を覆って設けられた面状発熱体２３とを有する。さらに、面状発熱体２３の上面は均熱材２４で覆われ、ヒータパネル２０の下面は補強シート２５で覆われている。
【００２０】
枠材２２としては、木材等からなる補強材２２ｂと防振防音材２２ａとを積層したものを好ましく用いることができるが、軽量でかつヒータパネル２０に必要な機械的強度を確保できるものであれば、その構造は任意であり、例えば、補強材２２ｂのみで構成してもよいし、補強材２２ｂと防振防音材２２ａとの積層順を入れ替えてもよい。
【００２１】
また、枠材２２には、ヒータパネル２０を床下地１（図１参照）上に固定するための領域を確保するという働きもある。床下地１へのヒータパネル２０の固定は、例えば、釘打ち、接着、嵌め込みなどによって行うことができる。ヒータパネル２０を固定する際には、枠材２２が設けられた領域を利用する。
【００２２】
補強材２２ｂには、軽量で強度のある材料、例えば、木材、合板、軽量プラスチックなどを用いることができる。補強材２２ｂを設けることで、ヒータパネル２０全体として高い強度が得られる。また、補強材２２ｂはヒータパネル２０の外周部に枠状に配されており、これにより、ヒータパネル２０全体の重量が軽減され、自重による反り等の変形を抑制し、かつヒータパネル２０の設置作業性が向上する。
【００２３】
防振防音材２２ａは、振動減衰が得られかつ上部からの荷重に耐え得る反発力をもつ材料からなり、補強材２２ｂとともに枠材２２を構成する。防振防音材２２ａとしては、クロロプレン等をベースとしたゴム系シート材、改質アスファルト系シート材、圧縮ウレタン発泡材、ポリエチレン発泡材等、あるいはこれらの材料に振動減衰を向上させるためのフィラーや添加物を含んだものを用いることができる。
【００２４】
面状発熱体２３には、特に限定されないが、耐久性および遠赤外線放射効率の見地から、炭素繊維を発熱抵抗体とするものを好ましく用いることができる。また、ヒータパネル２０の厚さを抑制するために、面状発熱体２３の厚さは、好ましくは２ｍｍ以下、より好ましくは０．８ｍｍ以下とする。このような面状発熱体２３としては、例えば、特開平８−２０７１９１号公報に開示されたような、非導電性繊維および導電性繊維の交点を接合してなる網目構造体の両端で導電性繊維と電極とを接続した後、樹脂に包埋あるいは繊維強化プリプレグシートを積層して形成した繊維強化樹脂成形体が挙げられる。
【００２５】
断熱材２１は、面状発熱体２３から発生した熱が裏面に伝わるのを抑え、上面の床仕上げ材１２（図１参照）に向かって有効に伝えるために用いる。断熱材２１としては、軽量で断熱効果があり、ヒータパネル２０の通常使用温度に対する耐熱性を有するものが好ましく用いられる。その例として、発泡ポリウレタン、発泡ポリエチレン、発泡ポリプロピレンなどの発泡樹脂、硬質木質繊維板あるいは軽量木質繊維板などの木質繊維成形体、ポリエステル繊維あるいはポリエーテルケトン繊維などの合成繊維などからなるフェルトマットなどが挙げられる。
【００２６】
均熱材２４は、面状発熱体２３から発生した熱を面内方向に均一に分散して床仕上げ材１２に伝えるものである。具体的には、アルミニウムや銅といった金属の箔あるいは板などを用いることができる。
【００２７】
補強シート２５は、断熱材２１および枠材２２の下面に固定されることにより、ヒータパネル２０の強度を向上させるとともに、ヒータパネル２０の内部の電気回路を保護する。補強シート２５としては、新日石プラスト（株）製の「日石ワリフ」（登録商標）、あるいはこの「日石ワリフ」と紙のラミネート品、プラスチック系やアスファルト系の各種防水シート、ベークライト等のプラスチック成形板、ブリキやアルミニウムあるいはステンレス等の金属板、紙、およびガラス繊維シート等を用いることができる。
【００２８】
ヒータパネル２０の１辺の外郭近くにおいて、ヒータパネル２０の内部には、配線経路２０ａが、各ヒータパネル２０が隣接する方向に沿ってヒータパネル２０を貫通して形成されている。ヒータパネル２０同士を並列接続する、電源線およびアース線を含む配線２６は、この配線経路２０ａを通して引き回されている。配線経路２０ａには、ヒータパネル２０を敷設した際に配線２６の余長部分を収納する余長収納部２０ｂが設けられている。
【００２９】
ヒータパネル２０は、配線２６によって互いに連結されているが、施工性を考慮すると、他の連結手段で互いに連結されていることが好ましい。連結手段は特に限定されないが、例えば、ヒータパネル２０の両側縁部に孔２２ｃを設け、隣り合うヒータパネル２０の孔２２ｃ間に連結帯２７を通して結ぶことにより、隣り合うヒータパネル２０を連結帯２７で機械的に連結する方法が好適である。この方法によれば、連結帯２７の長さを調整することにより、ヒータパネル２０間の間隔を調整でき、各種厚さのヒータパネル２０の折り畳みに対応することができる。
【００３０】
上述したようにヒータパネル２０同士が互いに連結されたパネルユニット１１の設置は、例えば、以下のようにして行うことができる。
【００３１】
室内への搬入は、図３（ａ）に示すように、パネルユニット１１をヒータパネル２０の連結部でジグザグ状に折り畳んだ状態で行う。パネルユニット１１の搬入後、図３（ｂ）に示すように、パネルユニット１１を引き伸ばして展開する。次いで、図３（ｃ）に示すように、パネルユニット１１を完全に展開して、床下地１（図１参照）上に敷き込む。次いで、ヒータパネル２０同士を連結している連結帯２７（図２Ａ参照）を引き上げて各ヒータパネル２０の間隔を詰め、その後、連結帯を切断、除去することによって、図３（ｄ）に示すように、各ヒータパネル２０を密接させ、パネルユニット１１の設置を完了する。
【００３２】
再び図１を参照すると、パネルユニット１１の周囲には、副材３が設置される。副材３は、床下地１上のパネルユニット１１が設置されていない領域の高さを、パネルユニット１１の上面の高さと一致させるためのものであり、例えば、ヒータパネル２０の枠材２２と同様の部材、例えば、発泡ポリプロピレン、発泡ポリスチレン、発泡ポリウレタンなどで構成することができる。
【００３３】
床仕上げ材１２は、パネルユニット１１および副材３の上面に固定される。床仕上げ材１２としては、床材として一般に使用される任意の部材、例えば、木製フローリングボード、木材と樹脂との合成フローリング材、樹脂製タイル、タイルカーペットなどを用いることができる。パネルユニット１１上への床仕上げ材１２の固定方法も、用いる床材の種類に応じて、両面テープによる固定、釘による固定、接着剤による固定など、適宜方法を用いることができる。
【００３４】
上記のように床仕上げ材１２には任意の部材を用いることができるが、床仕上げ材１２がパネルユニット１１上に設置されることを考慮すると、床仕上げ材１２としては、パネルユニット１１からの熱による変形や変質が生じにくいものであることが好ましい。このような床仕上げ材１２としては、厚さ３ｍｍと薄型でかつ切断加工が容易なことから施工性に優れ、しかも熱耐久性に優れている朝日ウッドテック（株）製の「メッセージニュー」（登録商標）を好ましく用いることができる。
【００３５】
コントローラ３０は、口出し線１４と接続されて壁２に固定されており、その前面には、パネルユニット１１の電源のオン／オフ用のスイッチ、温度設定用のスイッチ、タイマー設定用のスイッチ等の操作部や、室温、この床暖房システムの運転モード等を表示する表示部などが、必要に応じて設けられている。コントローラ３０には、パネルユニット１１に設けられた温度センサーの検出結果や設定温度などに応じてパネルユニット１１への通電を制御する制御回路（不図示）が内蔵されている。
【００３６】
図４Ａに、コントローラ３０の背面およびそれに関連する構成を示し、図４Ｂに、コントローラ３０を壁２に取り付ける際の状態を側方から見た図を示す。
【００３７】
これらの図に示されるように、コントローラ３０は、雌コネクタ３２を有する。この雌コネクタ３２は、パネルユニット１１（図１参照）から引き出されている口出し線１４の先端に設けられた雄コネクタ１４ａと対をなすものである。雄コネクタ１４ａをコントローラ３０の雌コネクタ３２に差し込むことで、コントローラ３０とパネルユニット１１とが接続される。また、コントローラ３０からは、先端に電源プラグ１６を有する電源ケーブル１５が引き出されている。電源ケーブル１５には任意のケーブルを用いることができるが、フラットケーブルとすることが外観上好ましい。壁２には、この電源プラグ１６に対応する電源コンセント４が取り付けられている。電源コンセント４は、予め専門の設備工事業者によって取り付け工事が行われているか、あるいは既存のものを利用することもできる。
【００３８】
電源プラグ１６を電源コンセント４に差し込むことで、コントローラ３０に電力が供給され、さらにはコントローラ３０から、雄コネクタ１４ａと雌コネクタ３２との接続によって接続されたパネルユニット１１への電力の供給、およびコントローラ３０が温度センサーから得られた抵抗値に基づいてパネルユニット１１への電力供給を制御することが可能となる。
【００３９】
また、コントローラ３０の背面には、取り付け穴３１が形成されている。一方、壁２には、取り付け穴３１に係合する係合突起５が設けられている。取り付け穴３１および係合突起５は、取り付け穴３１に係合突起５を挿入することで、コントローラ３０の自重によってコントローラ３０が係合突起５に係合し、支持されるように構成されている。
【００４０】
次に、本実施形態の床暖房システム１０の、施工手順の一例について、リフォーム時の施工の場合を例に挙げて説明する。
【００４１】
まず、床下地１の上に、パネルユニット１１を設置する。この場合、床下地１は既存の床である。パネルユニット１１の設置は、前述の手順で行うことができる。次いで、パネルユニット１１の周囲に副材３を設置する。その後、パネルユニット１１および副材３の上に、床仕上げ材１２を設置する。この際、パネルユニット１１に設けられた口出し線１４を床仕上げ材１２の上に引き出しておく。
【００４２】
次いで、コントローラ３０を壁２に固定する。口出し線１４の雄コネクタ１４ａをコントローラ３０の雌コネクタ３２に差し込み、パネルユニット１１とコントローラ３０とを接続する。
【００４３】
最後に、電源プラグ１６を電源コンセント４に差し込む。以上で床暖房システム１０の施工が完了する。なお、電源コンセント４は、電源プラグ１６を差し込む前に、予め取り付け工事を行っておく。
【００４４】
以上述べた各作業において、パネルユニット１１の設置作業は、各ヒータパネル２０は予め互いに結線されており、折り畳まれた状態のものを展開するだけでよいので、一人でも十分に設置が可能である。しかも、各ヒータパネル２０の結線が不要であるので、専門の業者に依頼することなく短時間でかつ容易に設置することができる。また、床仕上げ材１２についても、床仕上げ材１２として、例えば、市販されている汎用の床材を用いれば、専門の業者でなくとも設置可能である。さらに、パネルユニット１１への電源投入も、単に、コントローラ３０の雌コネクタ３２にパネルユニットから引き出されている口出し線１４の雄コネクタ１４ａを差し込むとともに、電源コンセント４に電源プラグ１６を差し込むだけでよいので、この作業も、誰でも簡単に行うことができる。
【００４５】
すなわち、専門の業者が行う必要があるのは電源コンセント４の設置作業、およびパネルユニット１１の電力容量に応じた電源容量の確保（ブレーカ容量の確保）だけである。しかも、これらの作業は、設備工事業者にとっては汎用的な作業であり、床暖房に関する専門知識がなくても極めて容易に行うことができる。従って、専門の業者が行う作業に関わる施工費用および施工期間を削減でき、かつ、それだけでなく、専門の業者が行うべき作業を最小限に抑えることができるので、結果的に、床暖房システム全体の施工費用および施工期間を大幅に削減することができる。
【００４６】
パネルユニット１１は、その設置面積に応じて定格電圧が１００Ｖまたは２００Ｖとされるのが一般的である。定格電圧が１００Ｖの場合は、必要な電源容量が確保されていれば、電源コンセント４としては家庭で一般に使用されている電源コンセント４を利用することができ、専門の業者による新たな電源コンセント４の設置工事は不要であり、施工費用および施工期間のさらなる削減が可能となる。
【００４７】
また、定格電圧が２００Ｖであったとしても、最近はエアコン用の電源として２００Ｖの電源コンセントが予め設置されていることも多い。従って、電源プラグ１６がその電源コンセントに対応するものであれば、エアコン用の電源コンセントを床暖房システム用の電源コンセントとして利用することができる。床暖房システムが導入されていれば、夏場はエアコンを使用し、冬場は床暖房システムを使用するというように、エアコンと床暖房システムとを同時に使用することはないと考えられるので、２００Ｖの電源コンセントをエアコンと床暖房システムとに共通に利用することは可能である。この場合も、専門の業者による新たな電源コンセント４の設置工事は不要であり、施工費用および施工期間のさらなる削減が可能となる。
【００４８】
図５Ａに、本発明の他の実施形態による床暖房システムの、コントローラの背面およびそれに関連する構成を示し、図５Ｂに、同コントローラを壁に取り付ける際の状態を側方から見た図を示す。図５Ａおよび図５Ｂにおいて、前述した実施形態と同様の構成については、前述した実施形態で用いた符号と同じ符号を付し、以下ではそれらの説明は省略する。また、コントローラを除く他の構成、例えばパネルユニット、床仕上げ材などについても前述した実施形態と同様であるので、それらの説明は省略する。
【００４９】
本実施形態は、電源プラグ４６を、その端子がコントローラ３０の背面から突出するように、コントローラ３０の背面側に直接取り付けた点が前述した実施形態と異なっている。それに伴い、壁２へのコントローラ３０の取り付け位置が制限されるので、電源コンセント４は、コントローラ３０が取り付けられる位置に設けられる。
【００５０】
本実施形態によれば、前述した実施形態で述べた効果に加え、壁２へのコントローラ３０の取り付けを、電源コンセント４に電源プラグ４６を装着するだけで、前述した実施形態と比較してより簡単に行うことができる。また、コントローラ３０と電源プラグ４６とを接続する電源ケーブルが不要となるので、コントローラ３０自身の構成も簡略化される。さらに、コントローラ３０が壁２に取り付けられた状態では、電源プラグ４６および電源コンセント４がコントローラ３０の背面に隠れるので、壁２の外観も向上する。
【００５１】
本実施形態では、基本的に、コントローラ３０は、電源プラグ４６が電源コンセント４に装着されることによって壁２に支持される。従って、電源プラグ４６を単に電源コンセント４に差し込んだ状態でコントローラ３０を壁２に支持するだけではコントローラ３０が自重で落下することが懸念される。そこで本実施形態では、電源プラグ４６および電源コンセント４として、コントローラ３０の固定手段を兼ねる構造のものを用いることが好ましい。固定手段を兼ねる電源プラグ４６および電源コンセント４としては、吊り下げ型の照明器具の取り付けに用いられるような、引掛けローゼット型、あるいは引掛けシーリング型の電源コンセント４と、引掛けプラグ型の電源プラグ４６との組み合わせが挙げられる。このような電源プラグ４６および電源コンセント４を用いた場合、コントローラ３０の取り付けは、電源プラグ４６を電源コンセント４に差し込んだ後、電源プラグ４６の差し込み方向と平行な軸線回りに電源プラグ４６（コントローラ３０）を回転させて行い、これによってコントローラ３０が壁２に固定される。
【００５２】
以上、本発明について代表的な実施形態を例に挙げて説明したが、本発明は、これらの実施形態に限定されるものではなく、本発明の技術的思想の範囲内で適宜変更することが可能である。
【００５３】
例えば、上述した実施形態ではコントローラ３０とパネルユニット１１とを接続するコネクタが、コントローラ側に雌コネクタ３２、パネルユニット側に雄コネクタ１４ａを用いた例を示したが、これらは逆であってもよい。また、コネクタの形式についても、コントローラ３０とパネルユニット１１とを接続できるものであれば、任意のものを用いることができる。さらに、上述した実施形態では一対のコネクタでコントローラ３０とパネルユニット１１とを接続した例を示したが、配線ごとにコネクタを用いてもよい。その場合は、各コネクタが１対１の関係で接続されるように、配線ごとに接続部の形状を変更したり、配線ごとにコネクタの種類を変えたりして、誤接続を防止する構成とすることが望ましい。
【００５４】
コントローラ３０の壁２への固定構造について、図４Ａおよび図４Ｂに示した例では、突起物と穴との係合を利用したものを示したが、その他にも、例えば、コントローラ３０を保持するホルダを壁２に予め取り付けておき、このホルダによってコントローラ３０を固定したり、両面テープによってコントローラ３０を壁２に固定したりするなど、コントローラ３０を壁２に固定できるものであれば任意の手段を採用することができる。特に、両面テープによる固定は、図５Ａおよび図５Ｂに示した例において電源プラグ４６が電源コンセント４に単に差し込まれるだけで接続されるものである場合にも採用することができる。
【００５５】
さらには、上述した実施形態では、コントローラ３０は操作部および表示部を一体としたものを示したが、これら操作部および表示部は、コントローラ３０の前述した制御回路を内蔵した本体と別体、あるいは本体に対して着脱式のワイヤレスリモコンとして構成してもよい。この場合、コントローラ３０の本体とワイヤレスリモコンとの間での信号の伝送は、赤外線や電波などを用いることができる。
【００５６】
床暖房システム１０は、部屋の一部にのみ設置することもできる。この場合、パネルユニット１１および床仕上げ材１２が壁２と接しない辺を有していると、壁２と接していない辺において、床下地１に対してパネルユニット１１および床仕上げ材１２の高さ分の段差が生じることになる。このような段差に対しては、見切り材や段差スロープなどで対応すればよい。
【図面の簡単な説明】
【００５７】
【図１】本発明の一実施形態による床暖房システムの概略斜視図である。
【図２Ａ】図１に示すヒータパネルの主面と平行な面で切断した断面図である。
【図２Ｂ】図１に示すヒータパネルの厚さ方向に切断した断面図である。
【図３】図１に示すパネルユニットの施工手順の一例を説明する図である。
【図４Ａ】図１に示すコントローラの背面およびそれに関連する構成を示す図である。
【図４Ｂ】図１に示すコントローラを壁に取り付ける際の状態を側方から見た図である。
【図５Ａ】本発明の他の実施形態による床暖房システムの、コントローラの背面およびそれに関連する構成を示す図である。
【図５Ｂ】図５Ａに示すコントローラを壁に取り付ける際の状態を側方から見た図である。
【符号の説明】
【００５８】
１    床下地
２    壁
４    電源コンセント
５    係合突起
１０    床暖房システム
１１    パネルユニット
１２    床仕上げ材
１４    口出し線
１４ａ    雄コネクタ
１５    電源ケーブル
１６，４６    電源プラグ
２０    ヒータパネル
２１    断熱材
２２    枠材
２３    面状発熱体
２６    配線
３０    コントローラ
３１    取り付け穴
３２    雌コネクタ
【図１】
2006292311.tif 000003
【図２Ａ】
2006292311.tif 000004
【図２Ｂ】
2006292311.tif 000005
【図３】
2006292311.tif 000006
【図４Ａ】
2006292311.tif 000007
【図４Ｂ】
2006292311.tif 000008
【図５Ａ】
2006292311.tif 000009
【図５Ｂ】
2006292311.tif 000010